(57)【要約】【課題】電話番号を変えることなく他の移動端末で着信できるようにする。【解決手段】メンテナンス操作用移動端末６の操作キーを操作して、切り替え元移動端末７の電話番号と切り替え先移動端末８の電話番号を入力する。入力された切り替え元移動端末７の電話番号と、切り替え先移動端末８の電話番号は切り替え制御センタ２に基地局Ａ３、移動体通信網１を介して送信される。この切り替え元移動端末７の電話番号と、切り替え先移動端末８の電話番号は、切り替え制御センタ２の図示せぬ通信制御部の制御によって受信され、切り替え制御センタ２の図示せぬ記憶装置に供給され、互いに関連付けられて記憶される。切り替え元移動端末７を着信先に指定する発呼がなされたとき、切り替え先移動端末８に着信先が切り替えられる。【選択図】      図１
2005005807.tif 000002
【特許請求の範囲】
【請求項１】
所定の発呼の着信先を切り替える切り替え制御システムであって、
所定の端末から送信されてきた所定の切り替え元の電話番号と、該電話番号に対応する切り替え先の電話番号を対応付けて記憶する記憶手段と、
前記所定の切り替え元の電話番号を着信先とする発呼がなされたとき、前記着信先を、前記記憶手段によって前記切り替え元の電話番号に対応付けて記憶されている前記切り替え先の電話番号に切り替える切り替え手段と
を備え、
前記発呼の着信先の電話番号が、前記切り替え先の電話番号に切り替えられる
ことを特徴とする切り替え制御システム。
【請求項２】
前記端末は、前記切り替え元の電話番号と、前記切り替え先の電話番号とを入力する入力手段と、該入力手段によって入力された前記切り替え元の電話番号と、前記切り替え先の電話番号とを前記記憶手段に送信する送信手段と
を備えることを特徴とする請求項１に記載の切り替え制御システム。
【請求項３】
前記所定の切り替え元の電話番号を着信先とする発呼がなされたとき、前記着信先に対応する前記切り替え元の電話番号に対応付けて記憶されている前記切り替え先の電話番号があるか否かを判定する判定手段をさらに備える
ことを特徴とする請求項１または２に記載の切り替え制御システム。
【請求項４】
所定の発呼の着信先を切り替える切り替え制御方法であって、
所定の端末から送信されてきた所定の切り替え元の電話番号と、該電話番号に対応する切り替え先の電話番号を対応付けて記憶する記憶ステップと、
前記所定の切り替え元の電話番号を着信先とする発呼がなされたとき、前記着信先を、前記記憶ステップにおいて前記切り替え元の電話番号に対応付けて記憶されている前記切り替え先の電話番号に切り替える切り替えステップと
を備え、
前記発呼の着信先の電話番号が、前記切り替え先の電話番号に切り替えられる
ことを特徴とする切り替え制御方法。
【請求項５】
前記端末は、前記切り替え元の電話番号と、前記切り替え先の電話番号とを入力し、入力された前記切り替え元の電話番号と、前記切り替え先の電話番号とを送信する送信ステップを備える
ことを特徴とする請求項４に記載の切り替え制御方法。
【請求項６】
前記所定の切り替え元の電話番号を着信先とする発呼がなされたとき、前記着信先に対応する前記切り替え元の電話番号に対応付けて記憶されている前記切り替え先の電話番号があるか否かを判定する判定ステップをさらに備える
ことを特徴とする請求項４または５に記載の切り替え制御方法。
【請求項７】
所定の発呼の着信先を切り替える切り替え制御システムを制御する切り替え制御プログラムであって、
切り替え制御システムに、
所定の端末から送信されてきた所定の切り替え元の電話番号と、該電話番号に対応する切り替え先の電話番号を対応付けて記憶する記憶ステップと、
前記所定の切り替え元の電話番号を着信先とする発呼がなされたとき、前記着信先を、前記記憶ステップにおいて前記切り替え元の電話番号に対応付けて記憶されている前記切り替え先の電話番号に切り替える切り替えステップとを実行させ、
前記発呼の着信先の電話番号が、前記切り替え先の電話番号に切り替えられるように制御する
ことを特徴とする切り替え制御プログラム。
【発明の詳細な説明】
【０００１】
【発明の属する技術分野】
本発明は、切り替え制御システムに関し、特に、所定の発呼の着信先を切り替える切り替え制御システムに関する。
【０００２】
【従来の技術】
外部サーバとしてのＳＣＰ（サービス制御局）に、携帯端末としての複数のＰＳ（端末局）が現在通話中でビジーの状態であるのか或いは通話中ではなくアイドルの状態であるのかを示す呼接続状態記憶装置と、前記複数のＰＳの何れか１つのＰＳを着信先に指定する発呼がなされたときに、該着信先ＰＳの呼接続状態を、前記呼接続状態記憶装置を参照して判定し、該判定の結果に応じて該呼の着信先を変更するか否かを決定して該呼を接続する接続先決定手段とを備えることにより、話中転送サービスや代表番号着信サービスの実現を可能としたものがある（例えば、特許文献１参照）。
【０００３】
【特許文献１】
特開２００１−２６８２２７号公報
【０００４】
【発明が解決しようとする課題】
しかしながら、従来の方法では、話中転送サービスや代表番号着信サービスを提供することはできるが、所定の移動端末を着信先とする発呼がなされたとき、その呼の着信先を他の移動端末に変更することはできないという問題があった。
【０００５】
本発明はこのような状況に鑑みてなされたものであり、所定の電話番号を着信先とする発呼がなされたとき、その呼の着信先を切り替えることにより、緊急時に、電話番号を変えることなく他の移動端末を用いて従来通りに通話および通信を行うことができるようにするものである。
【０００６】
【課題を解決するための手段】
請求項１に記載の切り替え制御システムは、所定の発呼の着信先を切り替える切り替え制御システムであって、所定の端末から送信されてきた所定の切り替え元の電話番号と、電話番号に対応する切り替え先の電話番号を対応付けて記憶する記憶手段と、所定の切り替え元の電話番号を着信先とする発呼がなされたとき、着信先を、記憶手段によって切り替え元の電話番号に対応付けて記憶されている切り替え先の電話番号に切り替える切り替え手段とを備え、発呼の着信先の電話番号が、切り替え先の電話番号に切り替えられることを特徴とする。
また、端末は、切り替え元の電話番号と、切り替え先の電話番号とを入力する入力手段と、入力手段によって入力された切り替え元の電話番号と、切り替え先の電話番号とを記憶手段に送信する送信手段とを備えるようにすることができる。
また、所定の切り替え元の電話番号を着信先とする発呼がなされたとき、着信先に対応する切り替え元の電話番号に対応付けて記憶されている切り替え先の電話番号があるか否かを判定する判定手段をさらに備えるようにすることができる。
請求項４に記載の切り替え制御方法は、所定の発呼の着信先を切り替える切り替え制御方法であって、所定の端末から送信されてきた所定の切り替え元の電話番号と、電話番号に対応する切り替え先の電話番号を対応付けて記憶する記憶ステップと、所定の切り替え元の電話番号を着信先とする発呼がなされたとき、着信先を、記憶ステップにおいて切り替え元の電話番号に対応付けて記憶されている切り替え先の電話番号に切り替える切り替えステップとを備え、発呼の着信先の電話番号が、切り替え先の電話番号に切り替えられることを特徴とする。
また、端末は、切り替え元の電話番号と、切り替え先の電話番号とを入力し、入力された切り替え元の電話番号と、切り替え先の電話番号とを送信する送信ステップを備えるようにすることができる。
また、所定の切り替え元の電話番号を着信先とする発呼がなされたとき、着信先に対応する切り替え元の電話番号に対応付けて記憶されている切り替え先の電話番号があるか否かを判定する判定ステップをさらに備えるようにすることができる。
請求項７に記載の切り替え制御プログラムは、所定の発呼の着信先を切り替える切り替え制御システムを制御する切り替え制御プログラムであって、切り替え制御システムに、所定の端末から送信されてきた所定の切り替え元の電話番号と、電話番号に対応する切り替え先の電話番号を対応付けて記憶する記憶ステップと、所定の切り替え元の電話番号を着信先とする発呼がなされたとき、着信先を、記憶ステップにおいて切り替え元の電話番号に対応付けて記憶されている切り替え先の電話番号に切り替える切り替えステップとを実行させ、発呼の着信先の電話番号が、切り替え先の電話番号に切り替えられるように制御することを特徴とする。
【０００７】
【発明の実施の形態】
本発明は、リモート操作による移動端末の切り替えを可能にするものである。例えば、移動端末が壊れた場合に、着信先を他の移動端末へ切り替えることを可能にする。また、バッテリ切れに備えて複数の移動端末を用意し、適宜、他の移動端末への切り替えを行うことも可能とする。また、今後、日常不可欠的な利用頻度が予想される中で、各個人単位の故障や紛失等による移動端末の未使用時間を短くすることにより、移動端末の実用性を向上させるものである。
【０００８】
図１は、本発明の移動端末切り替え制御システムの一実施の形態の構成例を示している。同図に示すように、本実施の形態は、メンテナンス操作を可能とするメンテナンス操作用移動端末６と、切り替え元の移動端末である切り替え元移動端末７と、切り替え先の移動端末である切り替え先移動端末８と、移動端末の切り替えを制御することが可能なセンタである切り替え制御センタ２等から構成されている。
【０００９】
以下では、メンテナンス操作用移動端末６、切り替え元移動端末７、切り替え先移動端末８を特に区別する必要がない場合、単に移動端末と記載する。移動端末は、基地局Ａ３、基地局Ｂ４、基地局Ｃ５等を経由して移動体通信網１を介して切り替え制御センタ２と通信を行う図示せぬ通信制御部と、図２に示すように、各種データを表示する表示装置１２と、各種データやコマンドを入力する操作キー１３とを備えている。
【００１０】
切り替え制御センタ２は、パーソナルコンピュータやワークステーション等により構成されており、各種処理を実行する制御部と、移動体通信網１、基地局Ａ３、基地局Ｂ４、基地局Ｃ５等を介して移動端末と通信を行う通信制御部と、各種データを記憶する記憶装置と、各種データを表示する表示装置等から構成されている。
【００１１】
まず、メンテナンス操作用移動端末６の操作キー１３（図２（Ａ））を操作して、切り替え元移動端末７の電話番号と切り替え先移動端末８の電話番号を入力する。入力された切り替え元移動端末７の電話番号と、切り替え先移動端末８の電話番号は切り替え制御センタ２に基地局Ａ３、移動体通信網１を介して送信される。この切り替え元移動端末７の電話番号と、切り替え先移動端末８の電話番号は、切り替え制御センタ２の図示せぬ通信制御部の制御によって受信され、切り替え制御センタ２の図示せぬ記憶装置に供給され、互いに関連付けられて記憶される。
【００１２】
切り替え制御センタ２においては、切り替え元移動端末７を着信先に指定する発呼がなされたとき、この呼の着信先に対応する切り替え先移動端末の電話番号が記憶装置に記憶されているか否かが判定される。この例の場合、この呼の着信先である切り替え元移動端末７の電話番号に対応付けて、切り替え先移動端末８の電話番号が記憶装置に記憶されているので、切り替え先移動端末８に着信先が切り替えられる。
【００１３】
即ち、切り替え元移動端末７の番号発信を行わず、切り替え先移動端末８に対して番号発信を行う。これにより、結果的に、切り替え元移動端末７への着信ではなく、切り替え先移動端末８への着信が可能となる。
【００１４】
次に、メンテナンス操作用移動端末６を用いて、電話番号を入力することにより、着信先を切り替える手順について説明する。まず、図２（Ａ）に示したメンテナンス操作用移動端末６の操作キー１３に対して所定の操作を行うと、表示装置１２の画面に、図２（Ｂ）に示すような移動端末切り替えメニューが表示される。
【００１５】
移動端末切り替えメニューとして、「１．切り替え元の電話番号入力  切り替え元電話番号  ＊＊＊＊＊＊＊＊＊」と、「２．切り替え先の電話番号入力  切り替え先電話番号  ＊＊＊＊＊＊＊＊＊」が表示されるので、ユーザは、まず、操作キー１３を操作して、切り替え元の電話番号を入力する。次に、切り替え先電話番号を入力する。
【００１６】
入力後、操作キー１３に対して所定の操作を行うと、入力された切り替え元電話番号と、切り替え先電話番号が移動体通信網１を介して切り替え制御センタ２に送信される。切り替え制御センタ２は、移動体通信網１を介して送信されてきた切り替え元電話番号と、切り替え先電話番号を受信すると、これらの電話番号を関連付けて図示せぬ記憶装置に記憶させる。
【００１７】
これにより、切り替え制御センタ２の図示せぬ記憶装置に記憶されている切り替え元電話番号を着信先とする呼がなされたとき、切り替え制御センタ２は、この切り替え元電話番号に対応する切り替え先電話番号を着信先とする発呼を行い、切り替え元電話番号を着信先とする呼の着信先が、切り替え先電話番号に切り替えられる。
【００１８】
以上説明したように、本実施の形態により、着信先としての移動端末の切り替え操作を、リモートからエンドユーザが実施することができるため、以下のような効果を得ることができる。即ち、バッテリ切れ発生等の緊急時に、代替移動端末に着信先を切り替えることができることである。これは、何台か予備の移動端末を用意しておくことで実現が可能となる。
【００１９】
また、個人、家族、または友人同士で２台以上の移動端末を保有している場合は、上記切り替え操作をすることにより、一時的に、頻繁に電話がかかってくる移動端末を着信先とする発呼の着信先を、他の移動端末に切り替えることができ、電話番号を変えることなく、他の移動端末を着信先とすることができ、継続性を確保することができる。これにより、例えば、移動端末の一時的な持ち出し忘れ時等の緊急時に、他の移動端末を切り替え用として使用することが可能となる。このように、所定の発呼の着信先を切り替えることができるので、所定の移動端末がバッテリ切れ、故障、紛失等により使用できなくなるという緊急時に、その移動端末の電話番号を着信先とする発呼を他の移動端末を用いて着呼することができる。
【００２０】
なお、上記実施の形態では、メンテナンス操作用移動端末６を用いて切り替え元移動端末の電話番号と切り替え先移動端末の電話番号を入力するようにしたが、他の移動端末やパーソナルコンピュータ（ＰＣ）を用いて切り替え元移動端末の電話番号と切り替え先移動端末の電話番号を入力し、切り替え制御センタ２に送信するようにすることも可能である。
【００２１】
また、上記実施の形態の構成および動作は例であって、本発明の趣旨を逸脱しない範囲で適宜変更することができることは言うまでもない。
【００２２】
【発明の効果】
以上の如く、本発明に係る切り替え制御システムによれば、所定の発呼の着信先を切り替えることにより、緊急時に、電話番号を変えることなく他の移動端末を用いて従来通りに通話および通信を行うことができる。また、一時的に他の移動端末への切り替えを行うことにより継続性を確保することができる。即ち、１つの電話番号に対して移動端末を切り替えることができ、所定の移動端末が使用できなくなった場合でも他の移動端末を用いてその電話番号を継続的に使用することが可能となる。
【図面の簡単な説明】
【図１】本発明の一実施の形態の構成例を示す図である。
【図２】移動端末切り替えメニューを示す図である。
【符号の説明】
１  移動体通信網
２  切り替え制御センタ
３  基地局Ａ
４  基地局Ｂ
５  基地局Ｃ
６  メンテナンス操作用移動端末
７  切り替え元移動端末
８  切り替え先移動端末
１２  表示装置
１３  操作キー
【図１】
2005005807.tif 000003
【図２】
2005005807.tif 000004